【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
制御装置（ＥＣＵ）を操作ユニット（ＩＮ）によって調整するための方法であって、
該制御装置（ＥＣＵ）は、少なくとも一つのマイクロコントローラ（ＰＣ）と、複数のメモリセルを備え、少なくとも第１の値（Ｖ１Ｘ）を第１のメモリセル内に備える少なくとも一つのメモリ（ＳＰ１）と、少なくとも一つのデバグインタフェース（ＴＲＤＥ）とを有し、該デバグインタフェース（ＴＲＤＥ）は、前記制御装置（ＥＣＵ）により処理されるプログラムコードを監視するための監視機能を有する方法において、
前記デバグインタフェース（ＴＲＤＥ）によって、第１の所定の時点（ｔ１）が前記プログラムコードの処理時に検知され、
前記デバグインタフェース（ＴＲＤＥ）から前記第１の時点（ｔ１）で前記操作ユニット（ＩＮ）に伝送される情報によって、処理ルーチン（ＲＵ１）に対するトリガ時点が前記操作ユニット（ＩＮ）により設定され、
該処理ルーチン（ＲＵ１）によって前記操作ユニット（ＩＮ）から第２の値（Ｖ１Ｙ）が、前記デバグインタフェース（ＴＲＤＥ）によって第２の時点（ｔ２）で前記第１のメモリ（ＳＰ１）の第１のメモリセルに書き込まれ、それから該第１のメモリ（ＳＰ１）の第１のメモリセルが前記制御装置（ＥＣＵ）により第３の時点（ｔ３）で読み出される、ことを特徴とする方法。
【請求項２】
請求項１記載の方法において、
前記操作ユニット（ＩＮ）によって、前記第２の時点（ｔ２）が前記第３の時点（ｔ３）より前にあるか否かが検査され、検査結果に応じて所定の値が出力される方法。
【請求項３】
請求項１記載の方法において、
前記制御装置（ＥＣＵ）により、前記第１のメモリセルに前記第１の値（Ｖ１Ｘ）を書き込み、該第１のメモリセルを読み出すために必要である持続時間（Ｔ１）が該制御装置（ＥＣＵ）によって決定される方法。
【請求項４】
請求項３記載の方法において、
前記持続時間（Ｔ１）の決定は、前記制御装置（ＥＣＵ）のプログラムコードの分析によって実行される方法。
【請求項５】
請求項４記載の方法において、
前記プログラムコードの分析は、前記制御装置（ＥＣＵ）を使用せずに実行される方法。
【請求項６】
請求項３記載の方法において、
前記操作ユニット（ＩＮ）により、前記デバグインタフェース（ＴＲＤＥ）の監視機能を用いることによって、前記制御装置（ＥＣＵ）が必要な持続時間（Ｔ１）が決定される方法。
【請求項７】
請求項３から６までのいずれか一項記載の方法において、
前記制御装置（ＥＣＵ）に発生する書き込み／読み出しアクセスの時間インターバルの大きさに基づき、前記制御装置（ＥＣＵ）の調整可能なメモリセルが前記操作ユニット（ＩＮ）から出力される方法。
【請求項８】
請求項１から７までのいずれか一項記載の方法において、
第４の時点（ｔ０）で第２の値（Ｖ１Ｙ）が第２のメモリ（ＳＰ２）の第１のメモリセルが書き込まれ、前記操作ユニット（ＩＮ）により第２の値（Ｖ１Ｙ）が処理ルーチン（ＲＵＩ）によって前記第２のメモリ（ＳＰ２）の第１のメモリセルから読み出される方法。
【請求項９】
請求項８記載の方法において、
第４の時点（ｔ０）は第２の時点（ｔ２）より時間的に前にある方法。
【請求項１０】
請求項８または９記載の方法において、
第４の時点（ｔ０）は第１の時点（ｔ１）より時間的に前にある方法。
【請求項１１】
請求項８記載の方法において、
前記第２の値（Ｖ１Ｙ）は、遠隔制御装置（ＲＣＰ）によって前記第２のメモリ（ＳＰ２）の第１のメモリセルに書き込まれる方法。
【請求項１２】
制御装置（ＥＣＵ）を調整するように構成された操作ユニット（ＩＮ）であって、
該制御装置（ＥＣＵ）は、少なくとも一つのマイクロコントローラ（ＰＣ）と、複数のメモリセルを備え、少なくとも第１の値（Ｖ１Ｘ）を第１のメモリセル内に備える少なくとも一つのメモリ（ＳＰ１）と、少なくとも一つのデバグインタフェース（ＴＲＤＥ）とを有し、該デバグインタフェース（ＴＲＤＥ）は、前記制御装置（ＥＣＵ）により処理されるプログラムコードを監視するための監視機能を有する形式の操作ユニットにおいて、
前記デバグインタフェース（ＴＲＤＥ）は、第１の所定の時点（ｔ１）を、前記プログラムコードの処理時に検知するように構成されており、
前記操作ユニット（ＩＮ）は、通知された第１の時点（ｔ１）に基づいて処理ルーチン（ＲＵ１）をスタートさせ、該処理ルーチン（ＲＵ１）によって第２の値（Ｖ１Ｙ）を決定し、装備されたデバグインタフェース（ＴＲＤＥ）によって第２の値（Ｖ１Ｙ）を第２の時点（ｔ２）で第１のメモリ（ＳＰ１）の第１のメモリセルに書き込むように構成されており、それから前記第１のメモリ（ＳＰ１）の第１のメモリセルが制御装置により読み出される操作ユニット。
【請求項１３】
請求項１２記載の操作ユニットにおいて、
第２のメモリ（ＳＰ２）の第１のメモリセルは、前記第２の値（Ｖ１Ｙ）を収容するために設けられている操作ユニット。
【請求項１４】
請求項１３記載の操作ユニットにおいて、
第２のメモリ（ＳＰ２）の第１のメモリセルは遠隔制御装置（ＲＣＰ）により書き込み可能である操作ユニット。
【請求項１５】
制御装置（ＥＣＵ）を調整ユニット（ＩＮ）により調整する方法であって、
前記制御装置（ＥＣＵ）は少なくとも１つのマイクロコントローラ（ＰＣ）、複数のメモリセルを有する少なくとも１つのメモリ（ＳＰ１）、および少なくとも１つのデバッグインタフェース（ＴＲＤＥ）を含んでおり、
該デバッグインタフェースがメモリ内容を監視する機能を有するものである形式の方法において、
第１の値（Ｖ１Ｘ）が前記制御装置（ＥＣＵ）によって第１のメモリ（ＳＰ１）の第１のメモリセルに書き込まれる第１の時点（ｔ１）を前記デバッグインタフェース（ＴＲＤＥ）により検知し、
処理ルーチン（ＲＵ１）のトリガ時点を前記第１の時点（ｔ１）に前記デバッグインタフェース（ＴＲＤＥ）から前記調整ユニット（ＩＮ）へ送られた情報を用いて前記調整ユニット（ＩＮ）により求め、
前記第１のメモリ（ＳＰ１）の第１のメモリセルが前記制御装置（ＥＣＵ）によって第３の時点（ｔ３）において読み出される前に、前記調整ユニット（ＩＮ）が前記処理ルーチン（ＲＵ１）を用いて第２の時点（ｔ２）に第２の値（Ｖ１Ｙ）を前記デバッグインタフェース（ＴＲＤＥ）を介して前記第１のメモリ（ＳＰ１）の第１のメモリセルに書き込むようにする、
ことを特徴とする制御装置（ＥＣＵ）を調整ユニット（ＩＮ）により調整する方法。
【請求項１６】
前記調整ユニット（ＩＮ）によって、前記第２の時点（ｔ２）が前記第３の時点（ｔ３）より前にあるか否かを検査し、当該検査の結果に応じて所定の値を出力する、請求項１５記載の方法。
【請求項１７】
前記制御装置（ＥＣＵ）が前記第１の値（Ｖ１Ｘ）の前記第１のメモリセルへの書き込みと前記第１のメモリセルの読出しとに必要とする持続時間（Ｔ１）を、前記制御装置（ＥＣＵ）によって求める、請求項１５記載の方法。
【請求項１８】
前記持続時間（Ｔ１）は前記制御装置（ＥＣＵ）のプログラムコードの分析によって求められる、請求項１７記載の方法。
【請求項１９】
前記プログラムコードの分析は前記制御装置（ＥＣＵ）を使用せずに行われる、請求項１８記載の方法。
【請求項２０】
前記制御装置（ＥＣＵ）が必要とする前記持続時間（Ｔ１）は前記調整ユニット（ＩＮ）が前記デバッグインタフェース（ＴＲＤＥ）の監視機能を用いて求める、請求項１７記載の方法。
【請求項２１】
前記調整ユニット（ＩＮ）が前記制御装置（ＥＣＵ）内で生じる書込み／読出しアクセスの時間間隔の大きさに基づいて前記制御装置（ＥＣＵ）の調整可能なメモリセルを出力するようにする、請求項１７から２０のいずれか１項記載の方法。
【請求項２２】
前記第２の値（Ｖ１Ｙ）が第４の時点（ｔ０）に第２のメモリ（ＳＰ２）の第１のメモリセルに書き込まれ、前記調整ユニット（ＩＮ）が前記処理ルーチン（ＲＵ１）を用いて前記第２のメモリ（ＳＰ２）の第１のメモリセルから前記第２の値（Ｖ１Ｙ）を読み出す、請求項１４から２１のいずれか１項記載の方法。
【請求項２３】
前記第４の時点（ｔ０）は前記第２の時点（ｔ２）よりも前にある、請求項２２記載の方法。
【請求項２４】
前記第４の時点（ｔ０）は前記第１の時点（ｔ１）よりも前にある、請求項２２または２３記載の方法。
【請求項２５】
前記第２の値（Ｖ１Ｙ）が遠隔制御装置（ＲＣＰ）によって前記第２のメモリ（ＳＰ２）の第１のメモリセルに書き込まれる、請求項２２記載の方法。
【請求項２６】
制御装置（ＥＣＵ）を調整する調整ユニット（ＩＮ）であって、
前記制御装置（ＥＣＵ）は少なくとも１つのマイクロコントローラ（ＰＣ）、複数のメモリセルを有する少なくとも１つのメモリ（ＳＰ１）、および少なくとも１つのデバッグインタフェース（ＴＲＤＥ）を含んでおり、
該デバッグインタフェース（ＴＲＤＥ）がメモリ内容を監視する機能を有するものである形式の調整ユニット（ＩＮ）において、
前記デバッグインタフェース（ＴＲＤＥ）は第１のメモリ（ＳＰ１）の第１のメモリセルへの書込みの第１の時点（ｔ１）を検知し、関連する第１の値（Ｖ１Ｘ）を前記調整ユニット（ＩＮ）に送るよう構成されており、
前記調整ユニット（ＩＮ）は送られてきた前記時点（ｔ１）に基づいて処理ルーチン（ＲＵ１）を実行させ、
該処理ルーチン（ＲＵ１）により第２の値（Ｖ１Ｙ）を求め、
前記第１のメモリの第１のメモリセルが前記制御装置（ＥＣＵ）によって読み出される前に、上記構成のデバッグインタフェース（ＴＲＤＥ）により前記第２の値（Ｖ１Ｙ）を第２の時点（ｔ２）に前記第１のメモリの第１のメモリセルに書き込むよう構成されている、
ことを特徴とする調整ユニット（ＩＮ）。
【請求項２７】
前記第２の値（Ｖ１Ｙ）を収納するために第２のメモリ（ＳＰ２）の第１のメモリセルが設けられている、請求項２６記載の調整ユニット（ＩＮ）。
【請求項２８】
前記第２のメモリ（ＳＰ２）の第１のメモリセルは遠隔制御装置（ＲＣＰ）により書込み可能である、請求項２７記載の調整ユニット（ＩＮ）。